(57)【要約】【課題】本発明は、充分な殺虫効果が得られ、また液体ベイト剤が揮散しにくく殺虫効果が長持ちしやすい害虫駆除装置を提供することを目的とする。【解決手段】液体ベイト剤を含浸させた含浸体１０と、含浸体１０が収容される容器２０とを備え、含浸体１０の少なくとも上面の一部が気中に露出した露出部１２が形成され、平面視で露出部１２を囲う喫食領域３０の周囲長（ｍｍ）をＬ、露出部１２の面積（ｍｍ２）をＳとしたとき、Ｓ／Ｌが１．１〜５．０である、含浸体１０に含浸させた液体ベイト剤を害虫に喫食させる害虫駆除装置１。【選択図】図１
2020010664.tif 000002
【特許請求の範囲】
【請求項１】
液体ベイト剤を含浸させた含浸体と、前記含浸体が収容される容器とを備え、前記含浸体に含浸させた液体ベイト剤を害虫に喫食させる害虫駆除装置であって、
前記含浸体の少なくとも上面の一部が気中に露出した露出部が１個以上形成され、
平面視で前記露出部を囲う喫食領域の周囲長（ｍｍ）をＬ、前記露出部の面積（ｍｍ２）をＳとしたとき、Ｓ／Ｌが１．１〜５．０である害虫駆除装置。
【請求項２】
前記Ｓが１５〜５００ｍｍ２である、請求項１に記載の害虫駆除装置。
【請求項３】
前記液体ベイト剤の水分含有率が３０質量％以上である、請求項１又は２に記載の害虫駆除装置。
【請求項４】
前記露出部の平面視形状が環状である、請求項１〜３のいずれか一項に記載の害虫駆除装置。
【発明の詳細な説明】
【技術分野】
【０００１】
本発明は、害虫駆除装置に関する。
【背景技術】
【０００２】
液体ベイト剤（薬液）を害虫に喫食させて駆除する害虫駆除装置としては、液体ベイト剤を含浸させる含浸体と、前記含浸体を収容する容器とを備え、前記含浸体の一部を露出させる装置が知られている。例えばゴキブリ用として、少量の液体ベイト剤を吸い上げた吸液芯等や、液体ベイト剤を含浸させた含浸シートの一部を露出させた状態で、液体ベイト剤をゴキブリに喫食させる装置が提案されている（特許文献１、２）。
【先行技術文献】
【特許文献】
【０００３】
【特許文献１】特開２０１５−３３３７４号公報
【特許文献２】特開２０１２−１５７３２２号公報
【発明の概要】
【発明が解決しようとする課題】
【０００４】
しかし、特許文献１、２のような害虫駆除装置では、充分な殺虫効果が得られにくいことがある。また、含浸体の露出部が多いほど、害虫が前記露出部を認知する確率は高まると考えられるが、水性液体ベイト剤の場合、液体ベイト剤が経時的に揮散することで長期間の連続使用が困難である。特にゴキブリ用の液体ベイト剤は水分を多く含有するため、経時的な揮散が顕著である。
【０００５】
本発明は、充分な殺虫効果が得られ、また液体ベイト剤が揮散しにくく殺虫効果が長持ちしやすい害虫駆除装置を提供することを目的とする。
【課題を解決するための手段】
【０００６】
本発明は、以下の構成を有する。
［１］液体ベイト剤を含浸させた含浸体と、前記含浸体が収容される容器とを備え、前記含浸体に含浸させた液体ベイト剤を害虫に喫食させる害虫駆除装置であって、
前記含浸体の少なくとも上面の一部が気中に露出した露出部が１個以上形成され、
平面視で前記露出部を囲う喫食領域の周囲長（ｍｍ）をＬ、前記露出部の面積（ｍｍ２）をＳとしたとき、Ｓ／Ｌが１．１〜５．０である害虫駆除装置。
［２］前記Ｓが１５〜５００ｍｍ２である、［１］に記載の害虫駆除装置。
［３］前記液体ベイト剤の水分含有率が３０質量％以上である、［１］又は［２］に記載の害虫駆除装置。
［４］前記露出部の平面視形状が環状である、［１］〜［３］のいずれかに記載の害虫駆除装置。
【発明の効果】
【０００７】
本発明の害虫駆除装置は、充分な殺虫効果が得られ、また液体ベイト剤が揮散しにくく殺虫効果が長持ちしやすい。
【図面の簡単な説明】
【０００８】
【図１】本発明の害虫駆除装置の一例を示した斜視図である。
【図２】図１の害虫駆除装置の平面図である。
【図３】図１の害虫駆除装置の縦断面図である。
【図４】本発明の害虫駆除装置の一例を示した平面図である。
【図５】本発明の害虫駆除装置の一例を示した平面図である。
【図６】本発明の害虫駆除装置の一例を示した平面図である。
【発明を実施するための形態】
【０００９】
本発明の害虫駆除装置は、液体ベイト剤を含浸させた含浸体と、含浸体が収容される容器とを備え、含浸体に含浸させた液体ベイト剤を害虫に喫食させる害虫駆除装置である。本発明の害虫駆除装置においては、含浸体の少なくとも上面の一部が気中に露出した露出部が１個以上形成されている。また、平面視で露出部を囲う喫食領域の周囲長（ｍｍ）をＬ、露出部の面積（ｍｍ２）をＳとしたとき、Ｓ／Ｌが１．１〜５．０である。
【００１０】
本発明において、害虫駆除装置の含浸体の露出部を囲う喫食領域は、平面視において、露出部の外縁のみ、又は、露出部の外縁と露出部の外縁の角を通るか又は露出部の外縁に接する直線とによって、内側に向かって凹む凹部がないように設定される。複数の露出部がある場合、平面視で、露出部の外縁の角を通るか又は露出部の外縁に接する直線によって、最も外側の露出部を囲う凹部のない領域を設定して喫食領域とする。平面視で外縁形状に凹部が存在する露出部がある場合、前記凹部の両端部において露出部の外縁の角を通るか又は露出部の外縁に接する直線を引いて前記凹部が含まれる領域を喫食領域とする。
【００１１】
以下、本発明の害虫駆除装置の一例について、図面に基づいて説明する。なお、以下の説明において例示される図の寸法等は一例であって、本発明はそれらに必ずしも限定されるものではなく、その要旨を変更しない範囲で適宜変更して実施することが可能である。
【００１２】
害虫駆除装置１は、図１〜３に示すように、液体ベイト剤を含浸させた含浸体１０と、含浸体１０が収容される容器２０とを備えている。容器２０は、容器本体２２と、蓋部材２４とを備えている。容器本体２２は、平面視形状が円形状の底面部２２ａと、底面部２２ａの外周端部から立ち上がる側面部２２ｂとを備えている。
【００１３】
害虫駆除装置１では、容器２０の容器本体２２内に平面視形状が円形状の含浸体１０が収容された状態で、容器本体２２の上部開口部が蓋部材２４で塞がれている。蓋部材２４には円環状の穴２６が形成されおり、容器２０内の含浸体１０の一部が穴２６の部分で露出して露出部１２を形成している。このように、害虫駆除装置１においては、円環状の露出部１２が１個形成されている。
【００１４】
容器２０の態様は、この例の態様には限定されず、適宜設計できる。
容器２０を形成する材料としては、液体ベイト剤の性状に影響を与えないものであればよく、例えば、ポリプロピレン、ポリエチレン等のオレフィンの他、ポリエチレンテレフタレート（ＰＥＴ）等が挙げられる。容器２０を形成する材料は、１種であってもよく、２種以上であってもよい。
容器２０は、公知の方法で製造できる。
【００１５】
この例の含浸体１０は、平面視形状が円形の含浸シートである。なお、含浸体１０の態様は、含浸シートには限定されず、例えば、液体ベイト剤を吸い上げる柱状の含浸体（吸液芯）等であってもよい。
【００１６】
含浸体１０としては、例えば、ガラス繊維、合成繊維（ナイロン、ポリプロピレン、ポリエステル等）、天然繊維等の繊維の熱融着や接着剤による接着により形成されるもの、不織布や木材から形成されるもの、又は、無機及び有機物質から選択される１種以上の粉末からなるマトリックスを樹脂バインダーと共に練りこんで、押し出し成型や圧縮成型等によって成型したもの等が挙げられる。
【００１７】
害虫駆除装置１における喫食領域３０は、平面視で、円環状の露出部１２の外縁で形成される円形状の領域である。
平面視において、露出部１２を囲う喫食領域３０の周囲長（ｍｍ）をＬ、露出部１２の面積（ｍｍ２）をＳとする。このとき、Ｓ／Ｌは、１．１〜５．０であり、１．２〜４．０が好ましく、１．２〜２．５がより好ましい。Ｓ／Ｌが前記範囲の下限値以上であれば、害虫が露出部１２を認知しやすくなり、害虫の喫食行動が阻害されにくく、高い殺虫効果が得られやすくなる。Ｓ／Ｌが前記範囲の上限値以下であれば、液体ベイト剤中の水分の揮散速度が充分に遅くなり、殺虫効果が長持ちしやすい。
【００１８】
この例において、平面視での露出部１２の内側の円の直径をｒ（ｍｍ）、外側の円の直径をＲ（ｍｍ）とすると、Ｓ／Ｌの値は、Ｓ／Ｌ＝（πＲ２−πｒ２）／２πＲ＝（Ｒ２−ｒ２）／２Ｒから算出される。
Ｓ／Ｌを制御する方法は、特に限定されない。例えば、含浸体の上面を覆う蓋部材に形成する穴の形状及び大きさを調節してＳ／Ｌを制御する方法、含浸体自体の平面視形状を調節してＳ／Ｌを制御する方法等が挙げられる。
【００１９】
Ｓは、１５〜５００ｍｍ２が好ましく、２０〜４００ｍｍ２がより好ましく、２０〜３００ｍｍ２がさらに好ましい。Ｓが前記範囲の下限値以上であれば、害虫が露出部１２を認知しやすくなり、害虫の喫食行動が阻害されにくく、高い殺虫効果が得られやすくなる。Ｓが前記範囲の上限値以下であれば、液体ベイト剤中の水分の揮散速度が充分に遅くなり、殺虫効果が長持ちしやすい。
【００２０】
Ｌが大きいほど、害虫駆除装置において露出部が広範囲に分布していることを意味する。Ｌは、１０〜１００ｍｍが好ましく、４０〜８０ｍｍがより好ましく、５０〜８０ｍｍがさらに好ましい。Ｌが前記範囲の下限値以上であれば、害虫の喫食行動が阻害されにくく、高い殺虫効果が得られやすくなる。Ｌが前記範囲の上限値以下であれば、液体ベイト剤中の水分の揮散速度が充分に遅くなり、殺虫効果が長持ちしやすい。
【００２１】
本発明では、この例のように含浸体の露出部の平面視形状を環状とすることが好ましい。これにより、露出部からの液体ベイト剤の揮散量を低減しつつ、露出部をより広範囲に分布させることができる。そのため、殺虫効果を長期間持続させつつ、害虫が露出部をより認知しやすくして殺虫効果をより高めることができる。
なお、含浸体の露出部の平面視形状を環状とする場合、円環状には限定されず、例えば、矩形状の環状、三角形状の環状等であってもよい。また、含浸体の露出部の平面視形状は、円形状、矩形状等、環状でなくてもよい。
【００２２】
液体ベイト剤としては、特に限定されず、害虫の種類に応じて公知の液体ベイト剤を適宜使用できる。液体ベイト剤の具体例としては、例えば、ネオニコチノイド系のジノテフラン、フェニルピラゾール系のフィプロニル、アミジノヒドラジゾン系のヒドラメチルノン、ホウ酸等の殺虫成分を含む水溶液が挙げられる。
【００２３】
液体ベイト剤の水分含有率は、３０質量％以上が好ましく、４０質量％以上がより好ましく、５０質量％以上がさらに好ましい。液体ベイト剤の水分含有率が前記下限値以上であれば、液体ベイト剤の喫食性が向上し、高い殺虫効果が得られやすい。本発明の害虫駆除装置は、液体ベイト剤の水分含有率が多くても、揮散による殺虫効果の低下を充分に抑制できる。
液体ベイト剤の水分含有率は、殺虫成分の溶解の点では、９８質量％以下が好ましく、９５質量％以下がより好ましい。
なお、水分含有率は汎用試験法であるカールフィッシャー法により測定される。
【００２４】
液体ベイト剤には、本発明の目的に反しない範囲で、任意成分をさらに配合できる。任意成分としては、食餌成分、増粘剤、殺菌成分、界面活性剤、着色剤、着香剤、防腐剤、誤食防止剤が挙げられる。これらは特に限定されず、従来医薬品や医薬部外品、化粧品等に用いられているものであればよい。
【００２５】
液体ベイト剤の製造方法は、特に限定されず、公知の製造方法から選択される。例えば、溶媒に、殺虫成分、及び必要に応じて使用する任意成分を加えて撹拌することで、液体ベイト剤が得られる。
【００２６】
本発明の害虫駆除装置の使用方法、すなわち害虫駆除方法は、特に限定されず、例えば、本発明の害虫駆除装置を対象害虫が活動する場所に設置する方法等が挙げられる。設置する害虫駆除装置の数は特に限定されず、１つでもよいし、２つ以上でもよい。
【００２７】
以上説明したように、本発明の害虫駆除装置においては、害虫の餌場となる含浸体の露出部が、Ｓ／Ｌが特定の範囲となるように形成されている。これにより、害虫による露出部の認知性を高めつつ、露出部からの液体ベイト剤の揮散量を低減することができる。そのため、充分な殺虫効果を得つつ、その殺虫効果を長持ちさせることができる。このように、本発明の害虫駆除装置は、長期間の連続使用に特に適している。
【００２８】
なお、本発明の害虫駆除装置は、前記した害虫駆除装置１には限定されない。
本発明の害虫駆除装置は、図４に例示した害虫駆除装置２であってもよい。図４における図２と同じ部分は同符号を付して説明を省略する。害虫駆除装置２は、平面視形状が三角形状の環状である露出部１２Ａが形成されている以外は、害虫駆除装置１と同様の態様である。
害虫駆除装置２における喫食領域３０Ａは、平面視で、環状の露出部１２Ａの外縁で形成される三形状の領域である。
【００２９】
含浸体の露出部の数は、１個には限定されず、２個以上であってもよい。例えば、本発明の害虫駆除装置は、図５に例示した害虫駆除装置３であってもよい。図５における図２と同じ部分は同符号を付して説明を省略する。害虫駆除装置３は、平面視形状が円形状の４つの露出部１２Ｂが矩形の各頂点に位置するように形成されている以外は、害虫駆除装置１と同様の態様である。
【００３０】
害虫駆除装置３における喫食領域３０Ｂは、平面視で、４つの露出部１２Ａのうちの隣り合う２つの露出部１２Ａに接する４本の直線ｋと、４つの露出部１２Ａの外縁とで形成される略矩形状の領域である。
含浸体の露出部が複数ある場合、Ｓは平面視における各々の露出部の面積の合計である。
含浸体の露出部の数は、１〜１０個が好ましく、１〜５個がより好ましい。
【００３１】
本発明の害虫駆除装置は、図６に例示した害虫駆除装置４であってもよい。図６における図２と同じ部分は同符号を付して説明を省略する。害虫駆除装置４は、平面視形状が略三日月状の１つの露出部１２Ｃが形成されている以外は、害虫駆除装置１と同様の態様である。
害虫駆除装置４における喫食領域３０Ｃは、平面視で、露出部１２Ｃの内側に向かって凹んだ凹部の両端部で露出部１２Ｃと接する直線ｋと、露出部１２Ｃの外縁とで形成される略半円状の領域である。
【００３２】
本発明の害虫駆除装置は、例えば、容器から液体ベイト剤を柱状の含浸体（吸液芯）で吸い上げるタイプであってもよい。含浸体を吸液芯とする際に露出部を環状とする場合は、吸液芯を筒状にしてもよく、蓋部材に形成する穴を環状にしてもよい。
本発明の害虫駆除装置は、上部に配置した容器から下方に配置した含浸シートに液体ベイト剤を滴下するタイプであってもよい。
【００３３】
本発明の害虫駆除装置は、含浸体に直接手が触れないように着脱可能なカバーシートを取り付けたものであってもよい。カバーシートは、単層の部材であってもよく、複層の部材であってもよい。カバーシートとしては、液体ベイト剤の性状に影響を与えないものであればよく、シーラントフィルム（ポリエチレンフィルムやポリプロピレンフィルム等のオレフィンフィルム）とアルミニウム箔を含む積層フィルムであるアルミラミネートフィルムが好ましい。
【実施例】
【００３４】
以下、実施例によって本発明を具体的に説明するが、本発明は以下の記載によっては限定されない。
［原料］
本実施例で使用した原料を以下に示す。
フィプロニル：住友化学株式会社製、商品名「バクーダ」、
ジノテフラン：林純薬工業株式会社製、商品名「ジノテフラン」、
水アメ：日本コーンスターチ株式会社製、商品名「コーソシラップＨ７５Ｃ」（水分２５％含有）、
水：イオン交換水、
ＤＰＧ：株式会社ＡＤＥＫＡ製、商品名「ＤＰＧ−ＲＦ」、
ＰＯＥ硬化ヒマシ油：ポリオキシエチレン（６０）硬化ヒマシ油、日光ケミカルズ株式会社製、商品名「ＨＣＯ−６０」、
ゴマ油：株式会社カネダ製、商品名「日本薬局方ゴマ油」。
【００３５】
［製造例１〜４］
撹拌機（新東科学株式会社製ＢＬ１２００）により、表１に示す組成で各成分を充分に混合して液体ベイト剤Ａ−１〜Ａ−４を調製した。
【００３６】
【表１】
2020010664.tif 000003
【００３７】
［実施例１］
シート成形により作製した平面視形状が円形状のプラスチック製の容器本体（高さ：１０ｍｍ、内容積：２０ｍＬ、材質：ポリプロピレン）に、製造例１で得た液体ベイト剤Ａ−１の１６ｇを注ぎ入れた。次いで、含浸体として厚さ１０ｍｍ、直径４０ｍｍの円板状のシート材（王子キノクロス株式会社製、ハトシート）を容器に入れ、液体ベイト剤Ａ−１を含浸体に含浸させた。蓋部材として円形状のプラスチック製フィルム（凸版印刷株式会社製、ＧＬフィルム）を容器本体の上部開口部を覆うように被せてアイロンで容器本体の上端部に熱溶着し、害虫駆除装置を得た。蓋部材には、図５に示すように、直径６．５ｍｍの円形の４つの穴を、辺の長さが１４ｍｍの正方形の各頂点に穴の中心がくるように形成し、それらの穴から含浸体を露出させて露出部とした。
平面視での露出部を囲う喫食領域の周囲長Ｌは７６ｍｍ、露出部の面積Ｓは１３３ｍｍ２、Ｓ／Ｌは１．７４であった。
【００３８】
［実施例２］
図４に示すように、露出部の平面視形状が三角形状の環状となるように蓋部材の穴を調節した以外は、実施例１と同様にして害虫駆除装置を得た。環状の露出部は、外周が１辺の長さ２３ｍｍの正三角形、内周が１辺の長さ１５ｍｍの正三角形となるようにした。
平面視での露出部を囲う喫食領域の周囲長Ｌは６９ｍｍ、露出部の面積Ｓは１３２ｍｍ２、Ｓ／Ｌは１．９１であった。
【００３９】
［実施例３］
図２に示すように、露出部の平面視形状が円環状となるように蓋部材の穴を調節した以外は、実施例１と同様にして害虫駆除装置を得た。環状の露出部は、外周が直径１９ｍｍの円、内周が直径１４ｍｍの円となるようにした。
平面視での露出部を囲う喫食領域の周囲長Ｌは６０ｍｍ、露出部の面積Ｓは１３０ｍｍ２、Ｓ／Ｌは２．１７であった。
【００４０】
［実施例４］
露出部の平面視形状が縦１３ｍｍ×横１０ｍｍの長方形となるように蓋部材の穴を調節した以外は、実施例１と同様にして害虫駆除装置を得た。
平面視での露出部を囲う喫食領域の周囲長Ｌは４６ｍｍ、露出部の面積Ｓは１３０ｍｍ２、Ｓ／Ｌは２．８３であった。
【００４１】
［実施例５］
露出部の平面視形状が直径１３ｍｍの円形状となるように蓋部材の穴を調節した以外は、実施例１と同様にして害虫駆除装置を得た。
平面視での露出部を囲う喫食領域の周囲長Ｌは４１ｍｍ、露出部の面積Ｓは１３３ｍｍ２、Ｓ／Ｌは３．２５であった。
【００４２】
［実施例６］
露出部の平面視形状が１辺の長さが２０ｍｍの正方形となるように蓋部材の穴を調節した以外は、実施例１と同様にして害虫駆除装置を得た。
平面視での露出部を囲う喫食領域の周囲長Ｌは８０ｍｍ、露出部の面積Ｓは４００ｍｍ２、Ｓ／Ｌは５．００であった。
【００４３】
［実施例７〜９］
液体ベイト剤Ａ−１を液体ベイト剤Ａ−２〜Ａ−４に変更した以外は、実施例１と同様にして害虫駆除装置を得た。
【００４４】
［比較例１］
露出部の平面視形状が直径３０ｍｍの円形状となるように蓋部材の穴を調節した以外は、実施例１と同様にして害虫駆除装置を得た。
平面視での露出部を囲う喫食領域の周囲長Ｌは９４ｍｍ、露出部の面積Ｓは７０７ｍｍ２、Ｓ／Ｌは７．５０であった。
【００４５】
［比較例２］
露出部の平面視形状が直径４ｍｍの円形状となるように蓋部材の穴を調節した以外は、実施例１と同様にして害虫駆除装置を得た。
平面視での露出部を囲う喫食領域の周囲長Ｌは１２．６ｍｍ、露出部の面積Ｓは１２．６ｍｍ２、Ｓ／Ｌは１．００であった。
【００４６】
［評価方法］
（殺虫効果）
縦５ｃｍ×横７ｃｍの紙を蛇腹状に折って縦５ｃｍ×横５ｃｍの大きさにしたものを０．１３ｍ２の試験区内に設置して潜伏場所を形成した。前記試験区内に水とマウス用固形飼料（日本クレア社製ＣＥ−２）を１個配置し、チャバネゴキブリ２０頭を放ち、一晩（約１６時間）試験区に馴化させた。馴化後、害虫駆除装置を設置し、２４時間後のチャバネゴキブリの死亡個体数を計測し、致死率を求め、以下の評価基準に従って殺虫効果を評価した。
＜評価基準＞
◎◎：致死率が１００％である。
◎：致死率が８０％以上１００％未満である。
○：致死率が５０％以上８０％未満である。
△：致死率が３０％以上５０％未満である。
×：致死率が３０％未満である。
【００４７】
（長持ち性）
検害虫駆除装置体の初期質量を予め測定しておき、２５℃恒温室内で害虫駆除装置を１か月静置後、再度、害虫駆除装置の質量測定を行い、質量減少量を算出し、以下の評価基準に従って長持ち性（効果持続性、効果持続力）を評価した。
＜評価基準＞
◎：質量減少量が３．５ｇ未満である。
〇：質量減少量が３．５ｇ以上７．０ｇ未満である。
△：質量減少量が７．０ｇ以上１１．０ｇ未満である。
×：質量減少量が１１．０ｇ以上である。
【００４８】
実施例及び比較例の条件及び評価結果を表２及び表３に示す。
【００４９】
【表２】
2020010664.tif 000004
【００５０】
【表３】
2020010664.tif 000005
【００５１】
表２に示すように、Ｓ／Ｌが本発明に規定する範囲内である実施例１〜９では、高い殺虫効果が得られ、また液体ベイト剤の揮散量が少なく、長持ちした。
一方、表３に示すように、Ｓ／Ｌが大きい比較例１では、高い殺虫効果が得られたものの、また液体ベイト剤の揮散量が多く、長持ちしなかった。Ｓ／Ｌが小さい比較例２では、液体ベイト剤の揮散量が少なかったものの、殺虫効果が不充分であった。
【符号の説明】
【００５２】
１〜４…害虫駆除装置、１０…含浸体、１２，１２Ａ〜１２Ｃ…露出部、２０…容器、２２…容器本体、２４…蓋部材、３０，３０Ａ〜３０Ｃ…喫食領域。
【図１】
2020010664.tif 000006
【図２】
2020010664.tif 000007
【図３】
2020010664.tif 000008
【図４】
2020010664.tif 000009
【図５】
2020010664.tif 000010
【図６】
2020010664.tif 000011